(57)【要約】【課題】従来の箸補助具の下記欠点を改善すること。１）箸同士の噛み合いずれと耐久性  ２）使いやすさと安定性  ３）安全性【解決手段】上記（１）に対してケース内に箸保持体を収める事で回動時ケースでも矯正できる。上記（２）に対して箸の動きが直接手に伝わらないように、回動する箸保持体をケース内に収める。更にケースで片方を固定し、手の平でケースを挟み込むようになるので安定性と使い勝手を両立できる。上記（３）に対して箸を開く方向へ付勢回動する動力は片方の箸保持体の内部に埋め込まれたバネで行うが直接他方の箸保持対を付勢せずプッシュロッドをバネの先端に取り付け前記箸保持体を付勢させる。これによりバネの破損や脱落を防ぐ。ケース内に収められている為更に脱落しにくい【選択図】図４
2008142309.tif 000002
【特許請求の範囲】
【請求項１】
一対の箸を別々に貫通させて保持する為の穴を各１個持つ箸保持体が２個あり前記箸保持体同士を対向するように配し、
前記２個の箸保持体のお互いの一部を重ね合わせ、
重ね合わせた部分に前記箸保持体の穴とは直角方向に支軸を設け、
前記重ね合わせた２個の箸保持体に一対の箸をそれぞれ貫通保持し箸の先端同士が開閉自在に回動出来るようにし、
且つ箸の先端同士が開く方向にバネの力により回動付勢し、
前記箸保持体が支軸を中心として回動した時に各箸保持体の外面が平行な２面で挟まれた内面に接しながら動けるように双方の前記箸保持体の厚さを同一とし、
前記箸保持体の厚さよりわずかに広い間隔の平行な２平面を一対持つケース内に前記箸保持体を収納し、
前記箸保持体の一方を前記ケース内に固定し、他方の箸保持体は、
前記ケース内の平行な２面の間で摺動しつつ前記支軸周りに回動可能とした事を特徴とする箸の補助具。
【請求項２】
前記２個の箸保持体の一方を前記ケース内に固定する方法は、
前記ケースに設けられた穴と前記２個の箸保持体のどちらか一方の穴に箸を貫通固定するまで差し込むことにより、
前記２個の箸保持体を前記ケース内に保持する事を特徴とする請求項1記載の箸の補助具。
【請求項３】
一対の箸先同士を開く方向に付勢する方法は、
前記２個の箸保持体の一方に設けられた座グリ状の穴に挿入されたコイル状のバネが、該穴に嵌め込まれたプッシュロッドを押し、
該プッシュロッドが前記２個の箸保持体の他方を押す事によって回動付勢する機能を持つ事を特徴とする請求項1又は請求項２に記載した箸の補助具。
【請求項４】
規格外の箸を使用可能とするために、箸保持体の箸挿入用の穴の内部に、入り口で深く、奧で浅い斜面状の溝を設け、箸を挿入する際に、箸にくさび状の部品を添わせて、該くさび状の部品を前記斜面状の溝に挿入することにより、穴の大きさより細い箸を固定可能にしたことを特徴とする請求項１又は請求項２又は請求項３記載の箸の補助具。
【発明の詳細な説明】
【技術分野】
【０００１】
本発明は、箸を自由に使えない方でも簡単に箸を使えるようにする補助具に関する。
【背景技術】
【０００２】
箸の補助具に関して、一対の箸の間に支点を設け、ばね力によって箸が開く方向又は閉じる方向に付勢するものが考案されている。
【特許文献１】実開昭５４−５０７８１
【特許文献２】実開昭５５−１６６７６
【発明の開示】
【発明が解決しようとする課題】
【０００３】
本発明は、従来の箸補助具の以下の欠点を解決しようとするものである。
１）精度−−従来考案されたものは箸の動きを支点だけで規制する構造なので、箸先のずれを矯正することが難しく、又使用による摩耗等により精度が劣化するおそれがある。
２）使いやすさ−−従来のものは指で２本の箸を上手に保持する必要がある。
３）安全性−−従来のものは金属製部品の露出部分が多く、金属が他の部分を削ったり金属同士が擦れたりして発生した摩耗粉や破損部品の落下によって異物が食品へ混入するおそれがある。  
【課題を解決するための手段】
【０００４】
上記課題に対して、それぞれ以下の手段で解決した。
【０００５】
１）精度−−本発明では、２個の箸保持体の重ね合わせる部分の厚みをできるだけ厚くすると共に支軸周りの摺動面を広く取るために凹凸状に深く噛み合わせた。
更に箸保持体をケースに収納し、回動方向と直角にずれが生じないようにガイドした。
また、箸挿入用の穴より箸の太さが細くても、くさび状の部品を適切に選んで箸と一緒に挿入することにより任意の場所に固定することができ、箸先を揃える調節もできる。
【０００６】
２）使いやすさ−−通常に箸を使用しているときは、箸と指が一体となっているので２本の箸に触れながら動かしても手の中で摺動することはないが、支点が固定された補助具で２本の箸に触れながら動かすと、手の中で箸が摺動し、安定性が悪く指が疲れる。
本発明では、箸保持体をケース内に収納して、箸と箸保持体の動きが直接指に伝わらないようにしたことにより、安定して使用可能となり指が疲れ難くなった。
【０００７】
３）安全性−−本発明では、金属製のコイルばねを箸保持具に埋め込み、プッシュロッドを介して他の箸保持体を押すようにし、さらに箸保持体をケースに収納しているので、摩耗粉や破損部品が食品に混入する危険性を低減できた。
【発明の効果】
【０００８】
特別な訓練をしなくても簡単に使え、安全でかつ疲れない箸補助具である。
箸及び、構成部品を簡単に分解して洗浄することができるので、清潔である。
【０００９】
外国人旅行者や箸を使い慣れていない方が容易に箸を使った日本文化に触れることができる。
観光で来日する方は特に飛行機の機内食から誰でも使える補助器具を装着した箸で食事ができれば、その時点から日本の文化に触れることができ以後の観光に思いを膨らませて頂ける。
また、箸をおみやげとして購入するきっかけにもなりえる。
【発明を実施するための最良の形態】
【００１０】
図１〜図３を用いて本発明の最良の形態について説明する。
図１は本発明による箸補助具の平面図（図２のＡ−Ａ断面図）であり、図２は同正面図（図１のＢ−Ｂ断面図）である。
固定側の箸保持体１と可動側の箸保持体２は、重なり部９で凹凸状に嵌合しており、支軸となるねじ５が箸保持体１と箸保持体２を貫通して通り、箸保持体１に固定されている。
【００１１】
固定側の箸保持体１にコイルばね６とプッシュロッド７を挿入できる座グリ８があり、コイルばね６はプッシュロッド７を介して可動側の箸保持体２を、図１で時計方向に回動するように押している。
【００１２】
箸保持体１、２には前記支軸５と直角方向にそれぞれ１個ずつ箸を挿入するための穴３と穴４がある。
箸保持体１、２の支軸５方向の厚さ寸法ａは両端保持体で同一であり、支軸となるねじ５で両箸保持体を組立てた状態でも同じ厚さ寸法ａを保つようになっている。
【００１３】
箸保持体１、２を収納するためのケース２０は、対向する平行な内面の距離ｂがａより僅かに（０．１ｍｍ程度）大きくなっており、箸保持体１、２を組立てた状態でケース２０内に収納し、突起とノッチ１０により箸保持体１をケース２０に仮止めする。
【００１４】
箸保持体１、２をケース２０に収納した状態で、箸３０、３１を穴３、４に挿入して固定する。
このとき固定側の箸保持具１に挿入する箸３０は、ケース２０に開けられている穴２１も貫通するので、これにより箸保持具１はケース２０にしっかりと固定される。
【００１５】
斜面状の溝１１、１２は、くさび３２が入る幅であり、穴３、４の入り口で深く、奧で浅くなっている。箸３０、３１に、適切な厚さのくさび３２をそれぞれ添わせて、箸を穴３、４に挿入すると同時に、くさび３２を溝１１、１２に挿入することにより、穴３、４の大きさより細い箸でも任意の位置で固定することができる。
【図面の簡単な説明】
【００１６】
【図１】本発明による箸補助具の平面図（図２におけるＡ−Ａ断面図）
【図２】本発明による箸補助具の正面図（図１におけるＢ−Ｂ断面図）
【図３】本発明によるケースの正面図
【図４】本発明による箸補助具の使用説明図（図２におけるＣ−Ｃ断面図）
【符号の説明】
【００１７】
１  箸保持体（固定側）
２  箸保持体（可動側）
３  箸挿入用の穴（固定側）
４  箸挿入用の穴（可動側）
５  支軸となるねじ
６  コイルばね
７  プッシュロッド
８  座グリ
９  箸保持体１、２の重なり部
１０  ケース側の突起と箸保持体側のノッチ
１１  斜面状の溝
１２  斜面状の溝
２０  ケース
２１  ケースに開けた箸挿入用の穴
３０  固定側の箸
３１  可動側の箸（開状態）
３１ａ  可動側の箸（閉状態）
３２  くさび
ａ    箸保持体の厚さ寸法
ｂ    ケースの内面の距離
【図１】
2008142309.tif 000003
【図２】
2008142309.tif 000004
【図３】
2008142309.tif 000005
【図４】
2008142309.tif 000006